(57)【要約】【課題】フィルムを搬送する際にこすり傷が発生しない写真フィルム搬送装置を提供すること。【解決手段】写真フィルム９を搬送するための搬送路と、前記搬送路に設けられ、写真フィルム９のコマ画像に対応した大きさを有すると共に、前記コマ画像が位置決めされる開口部と、前記搬送路において写真フィルム９を搬送する搬送機構と、固定枠７及び可動枠８を有し、写真フィルム９を固定枠７及び可動枠８の間に挟むことで、前記開口部に位置決めされた写真フィルム９の平面性を確保するフィルム押さえユニット６と、を備える写真フィルム搬送装置であって、フィルム押さえユニット６が、搬送される写真フィルム９に付勢されながら当接し、且つ、写真フィルム９の搬送方向に回転可能なローラ５を備える。【選択図】図３
2005049582.tif 000002
【特許請求の範囲】
【請求項１】
写真フィルムを搬送するための搬送路と、
前記搬送路に設けられ、前記写真フィルムのコマ画像に対応した大きさを有すると共に、前記コマ画像が位置決めされる開口部と、
前記搬送路において前記写真フィルムを搬送する搬送機構と、
固定枠及び可動枠を有し、前記写真フィルムを前記固定枠及び前記可動枠の間に挟むことで、前記開口部に位置決めされた前記写真フィルムの平面性を確保するフィルム押さえユニットと、を備える写真フィルム搬送装置であって、
前記フィルム押さえユニットが、
搬送される前記写真フィルムに付勢されながら当接し、且つ、前記写真フィルムの搬送方向に回転可能なローラを備えることを特徴とする写真フィルム搬送装置。
【請求項２】
前記ローラは、スプリングによって付勢されると共に、前記可動枠の開口部の写真フィルム搬送方向前後に設けられたことを特徴とする請求項１記載の写真フィルム搬送装置。
【請求項３】
前記可動枠は、前記固定枠に対して離間した位置と近接した位置の間で変位可能に構成され、
前記可動枠が前記離間した位置に変位した状態で前記写真フィルムが搬送され、前記可動枠が前記近接した位置に変位した状態で前記コマ画像の平面性が確保され、
前記ローラの前記固定枠に対する位置は、前記可動枠の変位に関わらず変わらないことを特徴とする請求項１又は２記載の写真フィルム搬送装置。
【請求項４】
前記離間した位置では、前記ローラが前記可動枠のフィルム押さえ面から突出し、前記近接した位置では、前記可動枠の前記フィルム押さえ面は、前記ローラよりも突出している又は前記ローラと同一面であることを特徴とする請求項１又は２記載の写真フィルム搬送装置。
【請求項５】
前記ローラは、前記写真フィルムの搬送に従動して回転することを特徴とする請求項１〜４いずれかに記載の写真フィルム搬送装置。
【発明の詳細な説明】
【技術分野】
【０００１】
本発明は、写真プリントを作成する写真処理装置などにおいて、写真フィルムのコマ画像を開口部に位置決めして処理を行う写真フィルム搬送装置に関する。
【背景技術】
【０００２】
写真プリントを作成する写真処理装置は、一般に、露光部と現像処理部を備える。露光部ではフィルムに形成されたコマ画像を印画紙に投影露光する処理が行われ、現像処理部では、露光部において焼付処理された印画紙の現像処理が行われる。上記焼付処理では、露光部の光源の露光軸が通る開口部にコマ画像が位置決めされ、印画紙にコマ画像が焼き付けられる。焼き付けが完了すると、フィルムが搬送されて次のコマ画像が開口部に位置決めされ、同様に処理される。
【０００３】
従来より、フィルムの位置決めや搬送等を行うために写真フィルム搬送装置が用いられている。当該装置は、コマ画像を印画紙に投影露光するときに、フィルムの平面性を確保するため、フィルム押さえユニットを備える（例えば、下記特許文献１）。当該フィルム押さえユニットは、窓枠状の固定枠と、前記固定枠に対して変位可能な可動枠とを備えており、両部材間にフィルムを狭持可能に構成されている。これにより、焼付処理時においては、フィルムを停止させて、可動枠を固定枠に近接させてフィルムを固定枠に押し付け、コマ画像の平面性を確保することが可能となる。また、可動枠を固定枠より離間させてフィルムを固定枠から解放することで、フィルムの搬送が可能となる。
【特許文献１】特開平１１−１３３５１３号公報
【発明の開示】
【発明が解決しようとする課題】
【０００４】
しかしながら、上記構成のフィルム押さえユニットでは、図７に示すように、フィルム搬送時にカールぐせの付いたフィルムが可動枠にこすりながら進行し、フィルムにこすり傷が発生する場合があった。このようなこすり傷は画像品質を悪化させるため、改善する必要があった。そこで本発明の目的は、フィルムを搬送する際にこすり傷が発生しない写真フィルム搬送装置を提供することにある。
【課題を解決するための手段】
【０００５】
上記目的は、下記の如き本発明により達成できる。  
【０００６】
即ち、本発明の写真フィルム搬送装置は、写真フィルムを搬送するための搬送路と、前記搬送路に設けられ、前記写真フィルムのコマ画像に対応した大きさを有すると共に、前記コマ画像が位置決めされる開口部と、前記搬送路において前記写真フィルムを搬送する搬送機構と、固定枠及び可動枠を有し、前記写真フィルムを前記固定枠及び前記可動枠の間に挟むことで、前記開口部に位置決めされた前記写真フィルムの平面性を確保するフィルム押さえユニットと、を備える写真フィルム搬送装置であって、前記フィルム押さえユニットが、搬送される前記写真フィルムに付勢されながら当接し、且つ、前記写真フィルムの搬送方向に回転可能なローラを備える。
【０００７】
本発明の写真フィルム搬送装置によれば、ローラが写真フィルム側に付勢されながら当該写真フィルムに当接しているため、フィルムが可動枠にこすりながら進行することを好適に防止し、こすり傷の発生を防止することができる。
【０００８】
上記において、前記ローラは、スプリングによって付勢されると共に、前記可動枠の開口部の写真フィルム搬送方向前後に設けられたものが好ましい。
【０００９】
上記構成を採用することにより、上述の効果が好適に奏される。すなわち、カールぐせの付いた写真フィルムは、搬送の際に可動枠にこすりながら進行する傾向があるため、ローラを可動枠に設けることで、写真フィルムのガイドを好適に行うことができる。また、ローラを開口部前後に設けることで、写真フィルムをより好適にガイドすることができ、こすり傷の発生を効果的に防止することができる。
【００１０】
上記において、前記可動枠は、前記固定枠に対して離間した位置と近接した位置の間で変位可能に構成され、前記可動枠が前記離間した位置に変位した状態で前記写真フィルムが搬送され、前記可動枠が前記近接した位置に変位した状態で前記コマ画像の平面性が確保され、前記ローラの前記固定枠に対する位置は、前記可動枠の変位に関わらず変わらないものが好ましい。
【００１１】
上記構成を採用することにより、前記フィルム押さえユニットによる写真フィルムの搬送及びコマ画像の平面性の確保を容易に行うことができる。また、固定枠に対する可動枠の位置に関わらず、ローラの位置は変わらないことから、搬送時にはローラが写真フィルムをガイドする一方、コマ画像の平面性を確保する時には可動枠が写真フィルムを押し付けることとなる。よって、ローラがフィルム押さえユニットの機能を害することはなく、好適にフィルムの平面性を確保することができる。
【００１２】
上記において、前記離間した位置では、前記ローラが前記可動枠のフィルム押さえ面から突出し、前記近接した位置では、前記可動枠の前記フィルム押さえ面は、前記ローラよりも突出している又は前記ローラと同一面であるものが好ましい。
【００１３】
前記離間した位置では、ローラが可動枠のフィルム押さえ面から突出しているため、
フィルムを搬送するときは当該ローラがフィルムに当接し、フィルムが可動枠にこすれることを防止する。また、前記近接した位置では、可動枠のフィルム押さえ面がローラより突出している又はローラと同一面であるため、当該フィルム押さえ面がフィルムを押さえつけることができ、フィルムの平面性を好適に確保することができる。
【００１４】
上記において、前記ローラは、前記写真フィルムの搬送に従動して回転するものが好ましい。
【００１５】
上記構成を採用することで、特別な駆動機構を設ける必要がなく、フィルム押さえユニットをシンプルな構成にすることができる。また、ローラと写真フィルム間でのスリップ等が発生しないことから、ローラに起因するこすり傷の発生を防止することができる。
【発明を実施するための最良の形態】
【００１６】
以下、本発明を実施するための最良の形態について、図面を参照しながら説明する。図１は、本発明に係る写真フィルム搬送装置が用いられる写真処理装置の一例を示す図である。図１において、写真処理装置３０の左側には露光部３０ａが配置され、露光部３０ａに隣接して現像処理部３０ｂが配置される。写真処理装置３０には各部の作動の制御等を行う制御装置（不図示）が設けられる。
【００１７】
露光部３０ａには、光源３１、光を均一に混色するミラートンネル３２、写真フィルム搬送装置１、焼付レンズ３３、シャッタ３４が、露光軸上に設けられている。印画紙マガジン３５から引き出された印画紙３６は、ペーパーカッター３７によって所定のサイズにカットされ、露光軸上に送られる。フィルムは写真フィルム搬送装置１によって露光軸の横断方向にコマ送りされ、フィルムに形成されたコマ画像が焼付レンズ３３によって印画紙３６上に結像される。次いで、露光された印画紙３６は、現像処理部３０ｂに搬送される。現像処理部３０ｂは、現像処理液を貯留する現像処理タンク３８、乾燥処理部３９、プリント排出部４０を備えている。印画紙３６は各部を順次搬送されることにより、現像処理されて写真プリントとして排出される。
【００１８】
図２は本発明に係る写真フィルム搬送装置を示す図である。図２に示すように、写真フィルム搬送装置１は、揺動開閉可能に連結された下ケース体２と上ケース体３とを備えている。下ケース体２の上面には、溝状のフィルム搬送路４が設けられている。フィルム搬送路４の搬送幅はフィルム９の幅に合わせられている。フィルム搬送路４には、複数の搬送ローラ対１９を備える搬送機構が設けられている。搬送ローラ対１９は、下ケース体２に設けられた駆動ローラ１７と、上ケース体３に設けられた従動ローラ１８からなり、駆動ローラ１７は駆動ベルト１６を介してモータ１５によって駆動される。上ケース体３を下ケース体２に対して閉じた状態で、駆動ローラ１７と従動ローラ１８はフィルム搬送路４を通過するフィルム９を挟み込むように構成される。
【００１９】
上ケ−ス体３を下ケース体２側に揺動して閉じると、フィルム搬送路４の両端には開放口が形成される。その一方の開放口がフィルム挿入口２１として、他方の開放口がフィルム排出口２２として機能する。フィルム搬送路４の挿入口２１側には画面検出センサー１０およびパーフォレーションセンサー１１が設けられている。フィルム搬送路４の途中には、フィルム９のコマ画像に対応した大きさを有する開口部２５が形成されている。写真フィルム搬送装置１は、開口部２５の中心を露光部３０ａの光源３１の露光軸が通るように配置される。また、露光軸上に配置されたフィルム９を印画紙３６から所定の距離にて平面状に保持するためのフィルム押さえユニット６が、下ケース体２の開口部２５上に取り外し可能に設けられる。
【００２０】
図３はフィルム押さえユニット６の分解図である。図３に示すように、フィルム押さえユニット６は、窓枠状で開口部７５を備える固定枠７と、同じく窓枠状で開口部８５を備える可動枠８を備える。可動枠８は、固定枠７に対して近接した位置と離間した位置の間で変位可能に構成されており、両部材の間にフィルム９を挟み込むことができる。可動枠８が固定枠７に近接した姿勢は、フィルム９を固定枠７に押し付けることによって、フィルム９のコマ画像の平面性を確保して焼付処理するための姿勢である。一方、可動枠８が固定枠７から離間した姿勢は、フィルム９を固定枠７と可動枠８による押さえから解放し、フィルム９を搬送するための姿勢である。可動枠８と固定枠７との間には、ピン４１を介してスプリング１３が設けられており、普段はフィルム搬送時の離間した姿勢に付勢されている。ピン４１は、固定枠７に形成された３箇所の穴に、それぞれ圧入されると共に、ピン４１の首部に配置されるＥリング４２によって可動枠８の離間位置を位置決めするように構成される。
【００２１】
可動枠８は、開口部８５のフィルム搬送方向前後に矩形状の穴８ａを有しており、その両側には溝８ｂが形成されている。ローラ５は軸１２と一体化されており、軸１２を溝８ｂに配置することで、穴８ａ内のローラ５が可動枠８の下面からフィルム９側に突出した状態で配置される。軸１２は、溝８ｂに形成されたスプリング用穴８ｃに配置されたスプリング１４によって、フィルム９側（固定枠７側）に付勢される。スプリング１４の上側はネジ２９で固定された板金２８によって規制されている。ローラ５はフィルム９の搬送方向に回転可能に構成され、その回転はフィルム９の搬送に従動するように構成されている。
【００２２】
フィルム搬送時の離間した姿勢は、写真フィルム搬送装置１に設けられた圧着機構によって焼付処理時の近接した姿勢に切り換えることができる。圧着機構は、電磁石２３、金属板２４および押し付け部材２０からなる。図２に示すように、電磁石２３は下ケース体２に設けられ、金属板２４は上ケース体３に設けられている。金属板２４は、上ケース体３を下ケース体２に対して閉じた状態で、上下に（露光軸方向に）変位可能に構成されており、普段は圧縮バネ等によって上側に付勢されている。押し付け部材２０は窓枠状を呈し、上ケース体３に設けられている。押し付け部材２０は、金属板２４と一体的に変位可能に構成されており、上ケース体３に固定された軸芯２６周りで揺動可能に構成されている。
【００２３】
次に、フィルム押さえユニット６を用いた焼付処理時の動作を説明する。図４は、フィルム押さえユニット６を用いた焼付処理時の動作を示したフローチャートである。
【００２４】
まず、フィルム９をフィルム挿入口２１に挿入する（図４、ステップ５１）。そして、フィルム９の先端が不図示の先端検出センサーによって検出されると（ステップ５２）、フィルム９がフィルム搬送路４内に進入したという情報が制御装置に送られる。制御装置はこの情報に基づいてモーター１５を駆動させ、フィルム９を搬送ローラ対１９によりフィルム排出口２２側へ送る（ステップ５３）。そして、フィルム９に形成されたコマ画像が、開口部２５に対応した位置に位置決めされると、モーター１５が停止してフィルム搬送が停止する（ステップ５４）。コマ画像の位置決めは、画面検出センサー１０により検出されたコマ画像のエッジ（境界部）の位置と、パーフォレーションセンサー１１で読み取ったパーフォレーションから算出されたフィルム送り量に基づいて制御される。
【００２５】
最初のコマ画像が開口部２５に位置決めされ、フィルム９の搬送が停止すると、制御装置から指令が出され、電磁石２３が励起状態になる（ステップ５５）。その結果、金属板２４が電磁石２３に吸着され、金属板２４と一体的に設けられた押し付け部材２０も下向きに揺動操作される。これによって、フィルム押さえユニット６の可動枠８は、押し付け部材２０を介して固定枠７側に押し付けられ（ステップ５６）、フィルム９が平面状に保持された状態で焼付処理が行われる（ステップ５７）。
【００２６】
当該コマ画像の焼付処理が完了し、電磁石２３が励起状態から解放されると（ステップ５８）、電磁石２３と金属板２４の引き合いが解除され、押し付け部材２０は圧縮バネ等の力により復帰する。可動枠８はスプリング１３の復帰力によって固定枠７から引き離され（ステップ５９）、フィルム９の搬送が可能となる（ステップ６０）。
【００２７】
続いて、フィルム９が搬送（コマ送り）され、次のコマ画像が同様に開口部２５に位置決めされて処理される。以下、全てのコマ画像の処理が終了するまで同じ動作を繰り返し（ステップ６１）、全てのコマ画像の処理が終了すると、写真フィルム搬送装置１からフィルム９を排出する（ステップ６２）。
【００２８】
図５はフィルム９を挟み込んだフィルム押さえユニット６の断面図であり、図５（ａ）はフィルム搬送時の離間した姿勢を、図５（ｂ）は焼付処理時の近接した姿勢を、それぞれ示している。また、図６は、溝８ｂの位置を示したフィルム押さえユニット６の断面図であり、図６（ａ）はフィルム搬送時の離間した姿勢を、図６（ｂ）は焼付処理時の近接した姿勢を、それぞれ示している。尚、図５（ｂ）及び図６（ｂ）において、図面の都合上、固定枠７と可動枠８が若干離間した図が示されているが、実際にはフィルム９を挟み込むように固定枠７と可動枠８が近接する。
【００２９】
図５（ａ）に示すように、フィルム搬送時の離間した姿勢では、可動枠８のフィルム押さえ面８１からフィルム９側に突出したローラ５が、軸１２を介してスプリング１４に付勢されながらフィルム９に当接しているため、フィルム９がカールぐせの付いたものであっても、略平面状の姿勢に保つことができる。よって、フィルム９の搬送の際に、可動枠８にこすりながら進行することがなく、こすり傷の発生を好適に防止することができる。。
【００３０】
また、図５（ｂ）に示すように、焼付処理時の近接した姿勢では、可動枠８を固定枠７に押し付けることで、フィルム９の平面性を確保することができる。このとき、図６に示すように、可動枠８を固定枠７に押し付けることにより、スプリング１４の付勢力に反する力が作用し、ローラ５が可動枠８のフィルム押さえ面８１と同一面になる。よって、ローラ５がフィルム押さえユニット６の機能を阻害することなく、可動枠８のフィルム押さえ面８１が好適にフィルム９の平面性を確保することができる。
【００３１】
フィルム９は１コマ毎に開口部２５へ間欠的に送られ、焼付処理の対象となるコマ画像が印画紙に焼き付けられる。フィルム９の最終コマが焼き付けられると、フィルム９はフィルム排出口２２から排出される。
【００３２】
［他の実施形態］
（１）前述の実施形態では、写真フィルム搬送装置１が写真処理装置３０の露光部３０ａにて用いられる例を示したが、本発明はこれに限られるものではなく、例えば、二次元ＣＣＤで画像を読み取るスキャナー等にも使用することができる。また、露光部３０ａと並べて、フィルム９のコマ画像を読み取る前記スキャナーを設ける構成にしてもよい。
【００３３】
（２）前述の実施形態では、フィルム９を直接搬送路４に挿入する例を示したが、本発明はこれに限られるものではなく、例えば、フィルムカートリッジからフィルムを引き出して、搬送する構成としてもよい。この場合、フィルム挿入口２１付近にフィルムカートリッジを保持するホルダーと、フィルム巻き取り用のモータを設けることで、搬送・焼付処理時はフィルムカートリッジからフィルムを引き出すことができ、処理終了後は引き出したフィルムを再びフィルムカートリッジ内に回収することができる。
【００３４】
（３）前述の実施形態では、フィルム９の全てのコマ画像を焼付処理する例を示したが、本発明はこれに限られるものではなく、フィルムに形成されたコマ画像を選択的に焼付処理するものにも適用することができる。その場合においても、画面検出センサー及びパーフォレーションセンサーの検出結果に基づいて、焼付処理すべきコマ画像が開口部２５に位置決めされ、同様に処理される。処理すべきコマ画像の選択は、制御装置から出される指令に基づく。
【００３５】
（４）前述の実施形態では、焼付処理時の近接した位置において、フィルム押さえ面８１がローラ５と同一面となるように構成された例を示したが、本発明では軸１２を固定枠７で支持して、フィルム押さえ面８１がローラ５よりも突出するように構成されたものでもよい。この場合、可動枠８の変位に関わらずローラ５の固定枠７に対する位置が変わらず、ローラ５がフィルム押さえユニット６の機能を阻害することなく、フィルム押さえ面８１が好適にフィルム９の平面性を確保することができる。
【図面の簡単な説明】
【００３６】
【図１】写真処理装置の一例を示す図
【図２】本発明に係る写真フィルム搬送装置を示す図
【図３】フィルム押さえユニットの分解図
【図４】焼付処理時の動作を示したフローチャート
【図５】フィルム押さえユニットの断面図
【図６】フィルム押さえユニットの断面図
【図７】従来のフィルム押さえユニット
【符号の説明】
【００３７】
１    写真フィルム搬送装置
５    ローラ
６    フィルム押さえユニット
７    固定枠
８    可動枠
９    フィルム
１２  軸
２５  開口部
【図１】
2005049582.tif 000003
【図２】
2005049582.tif 000004
【図３】
2005049582.tif 000005
【図４】
2005049582.tif 000006
【図５】
2005049582.tif 000007
【図６】
2005049582.tif 000008
【図７】
2005049582.tif 000009